(57)【要約】  組織部位に減圧を分配するように適合され得るシステムが、ドレッシングおよびシール部材を含み得る。ドレッシングは、マニホールド層、貯蔵層、および複数のリテーナを含み得る。マニホールド層は、組織部位に近接して位置決めされるように適合され得、および貯蔵層は、マニホールド層に近接して位置決めされ得る。複数のリテーナは貯蔵層に配置され得る。リテーナの各々は、貯蔵層を通る流体連通チャンネルを画定し得る。リテーナは、流体連通チャンネルへの貯蔵層の変形を実質的に防止するように適合され得る。シール部材は、ドレッシングを被覆しかつシール部材と組織部位との間に流体シールをもたらすように適合され得る。【選択図】図１
2016512064.tif 000002
【特許請求の範囲】
【請求項１】
組織部位を治療するシステムにおいて、
前記組織部位に減圧源からの減圧を分配するように適合されたドレッシングであって、
前記組織部位に近接して位置決めされるように適合されたマニホールド層、
前記マニホールド層に近接して位置決めされた第１の貯蔵層、
前記第１の貯蔵層を通して配置された複数の第１の流体連通チャンネル、
前記第１の流体連通チャンネルのそれぞれに配置された第１のリテーナであって、前記第１の流体連通チャンネルへの前記第１の貯蔵層の変形を実質的に防止するように適合された第１のリテーナ、
前記第１の貯蔵層と流体連通して位置決めされた第２の貯蔵層、
前記第２の貯蔵層を通して配置された複数の第２の流体連通チャンネル、
前記第２の流体連通チャンネルのそれぞれに配置された第２のリテーナであって、前記第２の流体連通チャンネルへの前記第２の貯蔵層の変形を実質的に防止するように適合された第２のリテーナ
を含み、
前記第２の流体連通チャンネルは、前記第１の流体連通チャンネルから横方向にオフセットされている、ドレッシングと、
前記ドレッシングを被覆しかつシーリング材料と前記組織部位との間を流体シールするように適合されたシール部材と
を含むことを特徴とする、システム。
【請求項２】
請求項１に記載のシステムにおいて、さらに、前記ドレッシングに流体連通して結合されかつ前記ドレッシングと前記減圧源との間に流体連通をもたらすように適合された導管インターフェースを含むことを特徴とする、システム。
【請求項３】
請求項１に記載のシステムにおいて、さらに、前記減圧源と前記ドレッシングとの間を流体連通させる流体キャニスターを含み、前記流体キャニスターは、前記組織部位からの流体を保持するように適合されていることを特徴とする、システム。
【請求項４】
請求項１に記載のシステムにおいて、前記マニホールド層が多孔質疎水性材料を含むことを特徴とする、システム。
【請求項５】
請求項１に記載のシステムにおいて、前記マニホールド層が、前記組織部位と接触して位置決めされるように適合され、および前記第１の貯蔵層が、前記マニホールド層と前記第２の貯蔵層との間に配置されることを特徴とする、システム。
【請求項６】
請求項１に記載のシステムにおいて、前記第１および前記第２の貯蔵層の各々の少なくとも一部分が、親水性材料を含み、かつ前記組織部位から伝えられた流体を吸収するように適合されており、および前記第１のリテーナと前記第２のリテーナとが、それぞれ、多孔質疎水性材料を含むことを特徴とする、システム。
【請求項７】
請求項１に記載のシステムにおいて、前記第１の貯蔵層が、第１の面と、対向する第２の面とを含み、前記第１の貯蔵層の前記第１の面は、前記マニホールド層に近接して位置決めされ、および前記第１の流体連通チャンネルの各々が、前記マニホールド層と流体連通し、かつ前記第１の貯蔵層の前記第１の面と前記第２の面との間を流体連通させていることを特徴とする、システム。
【請求項８】
請求項１に記載のシステムにおいて、前記第２の貯蔵層が、第１の面と、対向する第２の面とを含み、および前記第２の流体連通チャンネルの各々が、前記第１の貯蔵層と流体連通し、かつ前記第２の貯蔵層の前記第１の面と前記第２の面との間を流体連通させていることを特徴とする、システム。
【請求項９】
請求項１に記載のシステムにおいて、前記マニホールド層が第１のマニホールド層であり、および前記ドレッシングが、さらに、第２の吸収層に近接しかつ前記第２の吸収層と前記シール部材との間に位置決めされた第２のマニホールド層を含み、前記第２のマニホールド層は多孔質疎水性材料を含むことを特徴とする、システム。
【請求項１０】
請求項１に記載のシステムにおいて、前記ドレッシングが、さらに、前記第１の貯蔵層と前記第２の貯蔵層との間を流体連通させて位置決めされた中間マニホールド層を含み、前記第１の流体連通チャンネルの各々は、前記中間マニホールド層の第１の面に近接して位置決めされ、および前記第２の流体連通チャンネルの各々は、前記中間マニホールド層の対向する第２の面に近接して位置決めされ、前記中間マニホールド層は多孔質疎水性材料を含むことを特徴とする、システム。
【請求項１１】
請求項１に記載のシステムにおいて、前記ドレッシングが、さらに、コラーゲンを含み、前記ドレッシングは多孔質構造を有し、および前記コラーゲンは、前記多孔質構造の目詰まりを実質的に防止するように適合されていることを特徴とする、システム。
【請求項１２】
請求項１に記載のシステムにおいて、さらに、前記ドレッシングに存在するナトリウムイオンおよび塩化物イオンと反応して水素イオンおよびヒドロキシルイオンを生じるように適合された複合イオン交換樹脂を含むことを特徴とする、システム。
【請求項１３】
組織部位を治療するシステムにおいて、
前記組織部位に減圧源からの減圧を分配するように適合されたドレッシングであって、
前記組織部位に近接して位置決めされるように適合されたマニホールド層、
前記マニホールド層に近接して位置決めされた貯蔵層、
前記貯蔵層を通して配置された流体連通チャンネル、および
前記流体連通チャンネルに配置されたリテーナであって、前記流体連通チャンネルへの前記貯蔵層の変形を実質的に防止するように適合されているリテーナ
を含むドレッシングと、
前記ドレッシングを被覆しかつシーリング材料と前記組織部位との間に流体シールをもたらすように適合されたシール部材と
を含むことを特徴とする、システム。
【請求項１４】
請求項１３に記載のシステムにおいて、さらに、前記ドレッシングに流体連通して結合されかつ前記ドレッシングと前記減圧源との間に流体連通をもたらすように適合された導管インターフェースを含むことを特徴とする、システム。
【請求項１５】
請求項１３に記載のシステムにおいて、さらに、前記減圧源と前記ドレッシングとの間を流体連通させる流体キャニスターを含み、前記流体キャニスターは、前記組織部位からの流体を保持するように適合されていることを特徴とする、システム。
【請求項１６】
請求項１３に記載のシステムにおいて、前記マニホールド層が、前記組織部位と流体連通し、かつ前記組織部位に減圧を分配するように適合されており、前記マニホールド層が多孔質疎水性材料を含むことを特徴とする、システム。
【請求項１７】
請求項１３に記載のシステムにおいて、前記貯蔵層が、前記組織部位から前記マニホールド層を通して伝えられた流体を吸収するように適合され、前記貯蔵層の少なくとも一部分が親水性材料を含むことを特徴とする、システム。
【請求項１８】
請求項１３に記載のシステムにおいて、前記貯蔵層が、第１の面と、対向する第２の面とを含み、前記貯蔵層の前記第１の面が、前記マニホールド層に近接して位置決めされ、および前記流体連通チャンネルは、前記マニホールド層と流体連通し、かつ前記貯蔵層の前記第１の面と前記第２の面との間を流体連通させていることを特徴とする、システム。
【請求項１９】
請求項１３に記載のシステムにおいて、前記リテーナが多孔質疎水性材料を含むことを特徴とする、システム。
【請求項２０】
請求項１３に記載のシステムにおいて、前記マニホールド層が第１のマニホールド層であり、および前記ドレッシングが、さらに、前記貯蔵層と前記シール部材との間を流体連通させて位置決めされた第２のマニホールド層を含むことを特徴とする、システム。
【請求項２１】
請求項１３に記載のシステムにおいて、
前記貯蔵層が第１の貯蔵層であり、
前記リテーナが第１のリテーナであり、
前記流体連通チャンネルが第１の流体連通チャンネルであり、および
前記ドレッシングが、さらに、第２の貯蔵層と、前記第２の貯蔵層を通して配置された第２の流体連通チャンネルと、前記第２の流体連通チャンネルに配置された第２のリテーナとを含み、前記第２のリテーナは、前記第２の流体連通チャンネルへの前記第２の貯蔵層の変形を実質的に防止するように適合され、前記第２の貯蔵層は、前記第１の貯蔵層と流体連通して位置決めされ、および前記第２の流体連通チャンネルは、前記第１の流体連通チャンネルから横方向にオフセットされていることを特徴とする、システム。
【請求項２２】
請求項２１に記載のシステムにおいて、前記マニホールド層が、前記組織部位と接触して位置決めされるように適合され、および前記第１の貯蔵層が、前記マニホールド層と前記第２の貯蔵層との間に配置されていることを特徴とする、システム。
【請求項２３】
請求項２１に記載のシステムにおいて、前記第２の貯蔵層の少なくとも一部分が、親水性材料を含み、かつ前記組織部位から伝えられた流体を吸収するように適合され、および前記第２のリテーナが多孔質疎水性材料を含むことを特徴とする、システム。
【請求項２４】
請求項２１に記載のシステムにおいて、前記第２の貯蔵層が、第１の面と、対向する第２の面とを含み、および前記第２の流体連通チャンネルが、前記第１の貯蔵層と流体連通し、かつ前記第２の貯蔵層の前記第１の面と前記第２の面との間を流体連通させていることを特徴とする、システム。
【請求項２５】
請求項２１に記載のシステムにおいて、前記ドレッシングが、さらに、前記第１の貯蔵層と前記第２の貯蔵層との間を流体連通させて位置決めされた中間マニホールド層を含み、および前記第１の流体連通チャンネルは、前記中間マニホールド層の第１の面に近接して位置決めされ、および前記第２の流体連通チャンネルは、前記中間マニホールド層の対向する第２の面に近接して位置決めされ、前記中間マニホールド層は多孔質疎水性材料を含むことを特徴とする、システム。
【請求項２６】
請求項２１に記載のシステムにおいて、前記マニホールド層が第１のマニホールド層であり、および前記ドレッシングが、さらに、前記第２の貯蔵層に近接しかつ前記第２の貯蔵層と前記シール部材との間に位置決めされた第２のマニホールド層を含み、前記第２のマニホールド層が多孔質疎水性材料を含むことを特徴とする、システム。
【請求項２７】
請求項１３に記載のシステムにおいて、前記ドレッシングが、さらに、コラーゲンを含み、前記ドレッシングは多孔質構造を有し、および前記コラーゲンは、前記多孔質構造の目詰まりを実質的に防止するように適合されていることを特徴とする、システム。
【請求項２８】
請求項１３に記載のシステムにおいて、さらに、前記ドレッシングに存在するナトリウムイオンおよび塩化物イオンと反応して水素イオンおよびヒドロキシルイオンを生じるように適合された複合イオン交換樹脂を含むことを特徴とする、システム。
【請求項２９】
組織部位を治療するシステムにおいて、
前記組織部位に減圧源からの減圧を分配するように適合されたドレッシングであって、
前記組織部位に近接して位置決めされるように適合されたマニホールド層、
前記マニホールド層に近接して位置決めされた第１の貯蔵層であって、前記第１の貯蔵層は、前記第１の貯蔵層に配置された複数の第１のアパーチャを有し、前記第１のアパーチャの各々は、前記第１の貯蔵層を通る第１の流体連通チャンネルを画定する、第１の貯蔵層、および
前記第１の貯蔵層と流体連通して位置決めされた第２の貯蔵層であって、前記第２の貯蔵層は、前記第２の貯蔵層に配置された複数の第２のアパーチャを有し、前記第２のアパーチャの各々は、前記第２の貯蔵層を通る第２の流体連通チャンネルを画定し、前記第１の流体連通チャンネルは、前記第２の流体連通チャンネルから横方向にオフセットされて位置決めされている、第２の貯蔵層
を含むドレッシングと、
前記ドレッシングを被覆しかつ前記シール部材と前記組織部位との間に流体シールをもたらすように適合されたシール部材と
を含むことを特徴とする、システム。
【請求項３０】
請求項２９に記載のシステムにおいて、さらに、前記ドレッシングに流体連通して結合されかつ前記ドレッシングと前記減圧源との間を流体連通させるように適合された導管インターフェースを含むことを特徴とする、システム。
【請求項３１】
請求項２９に記載のシステムにおいて、さらに、前記減圧源と前記ドレッシングとの間を流体連通させる流体キャニスターを含み、前記流体キャニスターは、前記組織部位からの流体を保持するように適合されていることを特徴とする、システム。
【請求項３２】
請求項２９に記載のシステムにおいて、前記マニホールド層が、前記組織部位と接触して位置決めされかつ前記組織部位に減圧を分配するように適合された多孔質疎水性材料で構成され、前記第１の貯蔵層は、前記マニホールド層と前記第２の貯蔵層との間に配置され、および前記第１の貯蔵層と前記第２の貯蔵層との各々の少なくとも一部分は、親水性材料を含み、かつ前記組織部位からの流体を吸収するように適合されていることを特徴とする、システム。
【請求項３３】
請求項２９に記載のシステムにおいて、前記マニホールド層が第１のマニホールド層であり、前記ドレッシングは、さらに、前記第２の貯蔵層に近接しかつ前記第２の貯蔵層と前記シール部材との間に位置決めされた第２のマニホールド層を含み、および前記第２の貯蔵層は、前記第１の貯蔵層と前記第２のマニホールド層との間に配置され、前記第２のマニホールド層は多孔質疎水性材料で構成されていることを特徴とする、システム。
【請求項３４】
請求項２９に記載のシステムにおいて、前記ドレッシングが、さらに、前記第１の貯蔵層と前記第２の貯蔵層との間を流体連通させて位置決めされた中間マニホールド層を含み、前記第１の流体連通チャンネルは、前記中間マニホールド層の第１の面に近接して位置決めされ、および前記第２の流体連通チャンネルは、前記中間マニホールド層の対向する第２の面に近接して位置決めされ、および前記中間マニホールド層は多孔質疎水性材料で構成されていることを特徴とする、システム。
【請求項３５】
請求項２９に記載のシステムにおいて、前記第２の流体連通チャンネルが、前記第１の貯蔵層と流体連通し、かつ前記第１の貯蔵層および前記第１の流体連通チャンネルが前記マニホールド層と流体連通していることを特徴とする、システム。
【請求項３６】
請求項２９に記載のシステムにおいて、前記ドレッシングが、さらに、コラーゲンを含み、前記ドレッシングは多孔質構造を有し、および前記コラーゲンは、前記多孔質構造の目詰まりを実質的に防止するように適合されていることを特徴とする、システム。
【請求項３７】
請求項２９に記載のシステムにおいて、さらに、前記ドレッシングに存在するナトリウムイオンおよび塩化物イオンと反応して水素イオンおよびヒドロキシルイオンを生じるように適合された複合イオン交換樹脂を含むことを特徴とする、システム。
【請求項３８】
請求項２９に記載のシステムにおいて、前記第１および前記第２の貯蔵層が、それぞれ、第１の面と、対向する第２の面とを有し、前記第１の流体連通チャンネルの各々が、前記第１の貯蔵層の前記第１の面と前記第２の面との間に延在し、および前記第２の流体連通チャンネルの各々が、前記第２の貯蔵層の前記第１の面と前記第２の面との間に延在することを特徴とする、システム。
【請求項３９】
組織部位を治療するためのドレッシングの製造方法において、
マニホールド材料を提供するステップと、
吸収材料を提供するステップと、
前記吸収材料に隣接して前記マニホールド材料を位置決めするステップと、
前記マニホールド材料および前記吸収材料を切断して、第１の貯蔵層および第２の貯蔵層を形成するステップであって、前記第１および前記第２の貯蔵層は、それぞれ、前記吸収材料および前記マニホールド材料の一部分を含むステップと、
前記第１の貯蔵層を、前記第２の貯蔵層と流体連通させて位置決めするステップであって、前記第１の貯蔵層内のマニホールド材料の前記一部分は、前記第２の貯蔵層のマニホールド材料の前記一部分から横方向にオフセットされて位置決めされるステップと
を含むことを特徴とする、方法。
【請求項４０】
請求項３９に記載の方法において、前記マニホールド材料が疎水性材料を含み、および前記吸収材料が親水性材料を含むことを特徴とする、方法。
【請求項４１】
請求項３９に記載の方法において、さらに、前記組織部位に近接して位置決めされかつ前記組織部位に減圧を分配するように適合されたマニホールド層を提供するステップと、前記第１の貯蔵層に近接して前記マニホールド層を位置決めするステップとを含み、前記第１の貯蔵層は、前記マニホールド層と前記第２の貯蔵層との間を流体連通させて配置され、および前記マニホールド層は多孔質疎水性材料で構成されていることを特徴とする、方法。
【請求項４２】
請求項４１に記載の方法において、前記第１および前記第２の貯蔵層が、前記マニホールド層を通して前記組織部位との流体連通をもたらすように適合されていることを特徴とする、方法。
【請求項４３】
請求項４１に記載の方法において、前記マニホールド層が第１のマニホールド層であり、前記方法が、さらに、第２のマニホールド層を提供し、かつ前記第２の貯蔵層に近接させて前記第２のマニホールド層を位置決めするステップを含み、前記第２のマニホールド層は多孔質疎水性材料で構成されていることを特徴とする、方法。
【請求項４４】
請求項４１に記載の方法において、さらに、中間マニホールド層を提供し、かつ前記中間マニホールド層を、前記第１の貯蔵層と前記第２の貯蔵層との間を流体連通させて配置するステップを含み、前記中間マニホールド層は多孔質疎水性材料で構成されていることを特徴とする、方法。
【発明の詳細な説明】
【技術分野】
【０００１】
関連出願の相互参照
本出願は、３５ＵＳＣ§１１９（ｅ）下において、２０１３年３月１４日出願の米国仮特許出願第６１／７８２，５２８号明細書（名称「ＡＢＳＯＲＢＥＮＴ  ＤＲＥＳＳＩＮＧ  ＡＮＤ  ＭＥＴＨＯＤ」）の利益を主張し、これを、あらゆる目的において参照により本明細書に援用する。
【０００２】
本開示は、概して医学的治療システムに関し、より詳細には、限定されるものではないが、組織部位を治療するための吸収性ドレッシング、システム、および方法に関する。
【背景技術】
【０００３】
医療環境に依存して、減圧を、とりわけ減圧療法に使用して、組織部位における肉芽形成を促進し、組織部位において流体を排出させ、創傷を閉鎖させ、水腫を軽減させ、かん流を促し、および流体を管理し得る。一般的なドレッシング、システム、および方法は、漏れたり遮断したりしやすく、治療の有効性を減少させるか、または治療を完全に喪失させる原因となり得る。そのような状況は、例えば、ドレッシングまたはシステム内の流体の量が、ドレッシングまたはシステムの流体容量を超える場合に発生し得る。それゆえ、ドレッシングおよびシステムの信頼性を高めかつ使用可能な寿命を延ばすために、組織部位から引き出された流体の管理を高め得るドレッシング、システム、および方法の改善が望ましい。
【発明の概要】
【０００４】
組織治療ドレッシング、システム、および方法のいくつかの態様の欠点は、本明細書の様々な説明に役立つ非限定的な実施形態に図示および説明されるように、対処される。
【０００５】
一部の説明に役立つ実施形態では、組織部位を治療するシステムが、ドレッシングとシール部材とを含み得る。ドレッシングは、組織部位に減圧源からの減圧を分配するように適合され得る。ドレッシングは、マニホールド層と、第１の貯蔵層と、複数の第１のリテーナと、第２の貯蔵層と、複数の第２のリテーナとを含み得る。マニホールド層は、組織部位に近接して位置決めされるように適合され得る。第１の貯蔵層は、マニホールド層に近接して位置決めされ得る。複数の第１のリテーナは第１の貯蔵層に配置され得る。第１のリテーナの各々は、第１の貯蔵層を通る第１の流体連通チャンネルを画定し得る。第１のリテーナは、第１の流体連通チャンネルへの第１の貯蔵層の変形を実質的に防止するように適合され得る。第２の貯蔵層は、第１の貯蔵層と流体連通して位置決めされ得る。複数の第２のリテーナは第２の貯蔵層に配置され得る。第２のリテーナの各々は、第２の貯蔵層を通る第２の流体連通チャンネルを画定し得る。第２のリテーナは、第２の流体連通チャンネルへの第２の貯蔵層の変形を実質的に防止するように適合され、および第２の流体連通チャンネルは、第１の流体連通チャンネルから横方向にオフセットされ得る。シール部材は、ドレッシングを被覆しかつシール部材と組織部位との間に流体シールをもたらすように適合され得る。
【０００６】
他の説明に役立つ実施形態では、組織部位を治療するシステムは、ドレッシングとシール部材とを含み得る。ドレッシングは、減圧源からの減圧を組織部位に分配するように適合され得る。ドレッシングは、マニホールド層と、貯蔵層と、複数のリテーナとを含み得る。マニホールド層は、治療するために、組織部位に近接して位置決めされ得る。貯蔵層は、マニホールド層に近接して位置決めされ得る。複数のリテーナは貯蔵層に配置され得る。リテーナの各々は、貯蔵層を通る流体連通チャンネルを画定し得る。リテーナは、流体連通チャンネルへの貯蔵層の変形を実質的に防止するように適合され得る。シール部材は、ドレッシングを被覆しかつシール部材と組織部位との間に流体シールをもたらすように適合され得る。
【０００７】
さらに他の説明に役立つ実施形態では、組織部位を治療するシステムは、ドレッシングとシール部材とを含み得る。ドレッシングは、組織部位に減圧源からの減圧を分配するように適合され得る。ドレッシングは、マニホールド層と、第１の貯蔵層と、複数の第１の流体連通チャンネルと、第１のリテーナと、第２の貯蔵層と、複数の第２の流体連通チャンネルと、第２のリテーナとを含み得る。マニホールド層は、組織部位に近接して位置決めされるように適合され得る。第１の貯蔵層は、マニホールド層に近接して位置決めされ得る。複数の第１の流体連通チャンネルは、第１の貯蔵層を通して配置され得る。第１のリテーナは、第１の流体連通チャンネルの各々に配置され得る。第１のリテーナは、第１の流体連通チャンネルへの第１の貯蔵層の変形を実質的に防止するように適合され得る。第２の貯蔵層は、第１の貯蔵層と流体連通して位置決めされ得る。複数の第２の流体連通チャンネルは、第２の貯蔵層を通して配置され得る。第２のリテーナは、第２の流体連通チャンネルの各々に配置され得る。第２のリテーナは、第２の流体連通チャンネルへの第２の貯蔵層の変形を実質的に防止するように適合され得る。第２の流体連通チャンネルは、第１の流体連通チャンネルから横方向にオフセットされ得る。シール部材は、ドレッシングを被覆しかつシール部材と組織部位との間に流体シールをもたらすように適合され得る。
【０００８】
さらに他の説明に役立つ実施形態では、組織部位を治療するシステムは、ドレッシングとシール部材とを含み得る。ドレッシングは、組織部位に減圧源からの減圧を分配するように適合され得る。ドレッシングは、マニホールド層と、貯蔵層と、流体連通チャンネルと、リテーナとを含み得る。マニホールド層は、組織部位に近接して位置決めされるように適合され得る。貯蔵層は、マニホールド層に近接して位置決めされ得る。流体連通チャンネルは、貯蔵層を通して配置され得る。リテーナは流体連通チャンネルに配置され得る。リテーナは、流体連通チャンネルへの貯蔵層の変形の実質的に防止するように適合され得る。シール部材は、ドレッシングを被覆しかつシール部材と組織部位との間に流体シールをもたらすように適合され得る。
【０００９】
さらに他の説明に役立つ実施形態では、組織部位を治療するシステムは、ドレッシングとシール部材とを含み得る。ドレッシングは、組織部位に減圧源からの減圧を分配するように適合され得る。ドレッシングは、マニホールド層と、第１の貯蔵層と、第２の貯蔵層とを含み得る。マニホールド層は、組織部位を治療するために、組織部位に近接して位置決めされるように適合され得る。第１の貯蔵層は、マニホールド層に近接して位置決めされ得る。第１の貯蔵層は、第１の貯蔵層に配置された複数の第１のアパーチャを有し得る。第１のアパーチャの各々は、第１の貯蔵層を通る第１の流体連通チャンネルを画定し得る。第２の貯蔵層は、第１の貯蔵層と流体連通して位置決めされ得る。第２の貯蔵層は、第２の貯蔵層に配置された複数の第２のアパーチャを有し得る。第２のアパーチャの各々は、第２の貯蔵層を通して第２の流体連通チャンネルを画定し得る。第１の流体連通チャンネルは、第２の流体連通チャンネルから横方向にオフセットされて位置決めされ得る。シール部材は、ドレッシングを被覆しかつシール部材と組織部位との間に流体シールをもたらすように適合され得る。
【００１０】
一部の説明に役立つ実施形態では、ドレッシングの製造方法が、マニホールド材料を提供するステップと、吸収材料を提供するステップと、吸収材料に隣接してマニホールド材料を位置決めするステップとを含み得る。方法は、さらに、マニホールド材料および吸収材料を切断して、第１の貯蔵層および第２の貯蔵層を形成するステップを含み得る。第１および第２の貯蔵層は、それぞれ、マニホールド材料および吸収材料の一部分を含み得る。さらに、第１の貯蔵層は、第２の貯蔵層と流体連通して位置決めされ得、および第１の貯蔵層内のマニホールド材料の一部分は、第２の貯蔵層内のマニホールド材料の一部分から横方向にオフセットされて位置決めされ得る。
【００１１】
説明に役立つ実施形態の他の態様、特徴、および利点は、以下の図面および詳細な説明を参照することにより、明らかとなる。
【００１２】
添付図面と併せて以下の詳細な説明を参照することにより、本明細書のより詳細な理解が得られ得る。
【図面の簡単な説明】
【００１３】
【図１】図１は、本開示によるドレッシングの説明に役立つ実施形態の切り取り図を示す、表面下（ｓｕｂ−ｓｕｒｆａｃｅ）の組織部位を治療するための治療システムの説明に役立つ実施形態である。
【図２】図２は、表面の組織部位に展開された図１の治療システムおよびドレッシングを示す。
【図３】図３は、図１のドレッシングとしての使用に好適なドレッシングの、説明に役立つ実施形態の分解斜視図である。
【図４】図４は、図３のドレッシングの斜視図である。
【図５】図５は、図１のドレッシングとしての使用に好適なドレッシングの、別の説明に役立つ実施形態の斜視図である。
【図６Ａ】図６Ａは、実質的に流体のない図４および図５のドレッシングを示す、図４および図５の線６−６に沿って取った断面図である。
【図６Ｂ】図６Ｂは、流体で実質的に飽和された図４および図５のドレッシングを示す、図４および図５の線６−６に沿って取った断面図である。
【図７】図７は、図１の治療システムでの使用に好適なドレッシングの、別の説明に役立つ実施形態の切り取り図である。
【図８】図８は、図１の治療システムでの使用に好適なドレッシングの、さらに別の説明に役立つ実施形態の切り取り図である。
【図９】図９は、図１の治療システムでの使用に好適なドレッシングの、さらに別の説明に役立つ実施形態の切り取り図である。
【発明を実施するための形態】
【００１４】
説明に役立つ非限定的な実施形態の以下の詳細な説明では、その一部をなす添付図面を参照する。本明細書の範囲から逸脱せずに、他の実施形態を使用してもよく、および論理的、構造的、機械的、電気的および化学的な変更を行ってもよい。当業者が、本明細書で説明する実施形態を実施できるようにするのに必要ではない詳細を避けるために、説明では、当業者に公知の特定の情報を省略し得る。以下の詳細な説明は、限定されずに提供され、説明に役立つ実施形態の範囲は、添付の特許請求の範囲によって定義される。
【００１５】
図面を参照すると、図１および図２は、患者の組織部位１０４を治療するための治療システム１０２の説明に役立つ実施形態を示す。組織部位１０４は、表皮１０６、真皮１０８、および皮下組織１１０を通って延在してもよく、またはそうでなければそれらを含んでもよい。図１に示すように、組織部位１０４は、表皮１０６の表面の下側に延在する、表面下の組織部位とし得る。さらに、組織部位１０４は、図２に示すように、表皮１０６の表面上に主に存在する、表面の組織部位とし得る。治療システム１０２は、治療システム１０２の位置決めまたは組織部位のタイプに関わらず、例えば、表皮１０６、真皮１０８、および皮下組織１１０に治療を施し得る。治療システム１０２はまた、限定されることなく、他の組織部位において使用してもよい。
【００１６】
組織部位１０４は、骨組織、脂肪組織、筋組織、皮膚組織、脈管組織、結合組織、軟骨、腱、靭帯、または任意の他の組織を含む、任意のヒト、動物、または他の生物の体の組織とし得る。組織部位１０４の治療は、流体、例えば滲出液または腹水の除去を含み得る。本明細書では、他で指定しない限り、「または」は、相互排他性である必要はない。
【００１７】
引き続き図１および図２を参照すると、治療システム１０２は、ドレッシング１２０と、シール部材１２４と、減圧源１２８とを含み得る。シール部材１２４は、組織部位１０４のドレッシング１２０を被覆して、組織部位１０４とシール部材１２４との間に流体シールおよび密閉空間１３０をもたらし得る。シール部材１２４は、ドレッシング１２０と、組織部位１０４の周囲の表皮１０６の周辺部分とを被覆して、シール部材１２４と組織部位１０４との間に流体シールをもたらし得る。例えば、組織部位１０４の周りに、およびシール部材１２４と表皮１０６の周辺部分との間に位置決めされた接着剤１３２が、シール部材１２４と組織部位１０４との間の流体シールを強化し得る。
【００１８】
シール部材１２４は、流体シールを可能にする任意の材料から形成され得る。流体シールは、特定の減圧源または関連のシステムについて、減圧を所望の部位に維持するのに適切なシールとし得る。シール部材１２４は、シール装置、例えば接着剤１３２によって、表皮１０６に対して、またはガスケットもしくはドレープに対して、封止され得る。さらに、シール装置は、接着剤シーリングドレープ、ドレープテープまたは条片、両面ドレープテープ、感圧接着剤、糊、親水コロイド、またはヒドロゲルなどとし得る。テープが使用される場合、テープは、感圧接着剤が予め塗布されたシール部材１２４と同じ材料で形成され得る。感圧接着剤は、組織部位１０４、またはその一部分に面するシール部材１２４の側面に塗布され得る。
【００１９】
シール部材１２４は、例えば、以下の材料：親水性ポリウレタン；セルロース系材料；親水性ポリアミド；Ｅｘｐｏｐａｃｋ  Ａｄｖａｎｃｅｄ  Ｃｏａｔｉｎｇｓ（Ｗｒｅｘｈａｍ、Ｕｎｉｔｅｄ  Ｋｉｎｇｄｏｍ）からのＩＮＳＰＩＲＥ  ２３０１材；薄くてコーティングされていないポリマードレープ；天然ゴム；ポリイソプレン；スチレンブタジエンゴム；クロロプレンゴム；ポリブタジエン；ニトリルゴム；ブチルゴム；エチレンプロピレンゴム；エチレンプロピレンジエンモノマー；クロロスルホン化ポリエチレン；多硫化ゴム；ポリウレタン（ＰＵ）；ＥＶＡフィルム；コ−ポリエステル；シリコーン；シリコーンドレープ；３Ｍ  Ｔｅｇａｄｅｒｍ（登録商標）ドレープ；Ａｖｅｒｙ  Ｄｅｎｎｉｓｏｎ  Ｃｏｒｐｏｒａｔｉｏｎ（Ｐａｓａｄｅｎａ、Ｃａｌｉｆｏｒｎｉａ）から入手可能なものなどのポリウレタン（ＰＵ）ドレープ；例えば、Ａｒｋｅｍａ（Ｆｒａｎｃｅ）からのポリエーテルブロックポリアミドコポリマー（ＰＥＢＡＸ）；または他の適切な材料の１つ以上を含み得る。シール部材１２４は、前述の材料の組み合わせで形成されたハイブリッドドレープとしてもよく、および前述したようにシール部材１２４を組織部位１０４の周りに固定するために、アクリル接着剤が露出している穿孔領域を有する下部シリコーン層を有してもよい。
【００２０】
導管１３６が、減圧源１２８をドレッシング１２０に流体連通させて結合し得る。導管インターフェース１４０は、ドレッシング１２０と流体連通して結合されてもよく、および導管１３６とドレッシング１２０を接続して、減圧源１２８と流体連通させるように適合され得る。導管インターフェース１４０は、任意の好適な方法で導管１３６に流体的に結合され得る。導管インターフェース１４０は、例えば、接着剤によってシール部材１２４に結合され得る。シール部材１２４のアパーチャ（図示せず）は、ドレッシング１２０と導管インターフェース１４０との間を流体連通させ得る。他の実施形態では、導管１３６は、単に、シール部材１２４にあるアパーチャ（図示せず）を通してドレッシング１２０に挿入されて、減圧源１２８と流体連通させ得る。減圧源１２８はまた、ドレッシング１２０および／またはシール部材１２４と流体連通して直接結合され得る。
【００２１】
導管インターフェース１４０は、医療グレードの軟質ポリマーまたは他の曲げやすい材料から形成され得る。非限定的な例として、導管インターフェース１４０は、ポリウレタン、ポリエチレン、ポリ塩化ビニル（ＰＶＣ）、フルオロシリコーン、エチレン−プロピレンなどから形成され得る。説明に役立つ非限定的な一実施形態では、導管インターフェース１４０は、ＤＥＨＰフリーのＰＶＣから成形され得る。導管インターフェース１４０は、成形、キャスティング、機械加工、または押し出しなどの任意の好適な方法で形成され得る。さらに、導管インターフェース１４０は、一体ユニットとして、または個別の構成要素として形成され得る。
【００２２】
減圧源１２８とドレッシング１２０との間を流体連通させて流体キャニスター１４４が結合され得る。例えば、流体キャニスター１４４は、減圧源１２８とドレッシング１２０との間で、導管１３６と流体連通して結合され得る。このような流体キャニスター１４４の位置決めによって、流体キャニスター１４４が、組織部位１０４から引き出された流体を保持できるようにし得る。流体キャニスター１４４は、組織部位１０４からの流体を保持するための任意の好適な容器とし得る。
【００２３】
治療システム１０２の一部として、減圧源１２８は、ドレッシング１２０および密閉空間１３０に減圧をもたらし得る。減圧源１２８は、本明細書で説明するように減圧をもたらす任意の好適な装置、例えば、真空ポンプ、壁面吸い込み、または他の減圧源などとし得る。
【００２４】
本明細書では、「減圧」は、治療が施されている組織部位における周囲圧力を下回る圧力を指し得る。減圧は、大気圧を下回り得る。減圧はまた、組織部位における静水圧を下回り得る。他で指定しない限り、本明細書で述べる圧力の値はゲージ圧である。組織部位に行われる減圧の量および性質は適用例に従って変動し得るが、減圧は、約−５ｍｍＨｇ〜約−５００ｍｍＨｇとし得る。一部の実施形態では、減圧は、約−１００ｍｍＨｇ〜約−２００ｍｍＨｇとし得る。
【００２５】
送達される減圧は、一定であってもまたは変動してもよく（パターン化またはランダム）、かつ連続的にまたは断続的に送達され得る。用語「真空」および「負圧」を使用して、組織部位に適用される圧力を説明し得るが、組織部位に加えられる実際の圧力は、通常完全な真空に関連付けられる圧力を上回り得る。本明細書での使用と一致して、減圧または真空圧の上昇は、絶対圧の相対的な低下を指し得る。減圧の上昇は、圧力の低下に対応し（周囲圧力に対してより大きく負である）、および減圧の低下は、圧力の上昇に対応し得る（周囲圧力に対してより小さく負である）。
【００２６】
引き続き図１および図２を参照すると、ドレッシング１２０は、減圧源１２８からの減圧を組織部位１０４に分配するように適合され得る。ドレッシング１２０は、マニホールド層１５０と、貯蔵層１５４と、複数のリテーナ１５８とを含み得る。マニホールド層１５０は、例えば、任意の好適な方法で、組織部位１０４に合うようにマニホールド層１５０を切断または他の方法で付形することなどによって、組織部位１０４に近接して位置決めされるように適合され得る。下記で説明するように、マニホールド層１５０は、組織部位１０４と流体連通して位置決めされて、減圧を組織部位１０４に分配するように適合され得る。一部の実施形態では、マニホールド層１５０は、組織部位１０４と接触して位置決めされ得る。
【００２７】
マニホールド層１５０は、真空空間または治療空間をもたらす任意のマニホールド材料または可撓性のボルスター材料、例えば、多孔質かつ透過性の発泡体または発泡体のような材料、経路を備えて形成された部材、グラフト、ガーゼなどから形成され得る。一部の実施形態では、マニホールド層１５０は、減圧下にある間の流体の透過性を良好にできる網状の連続気泡のポリウレタンまたはポリエーテル発泡体とし得る。１つのそのような発泡材料は、Ｋｉｎｅｔｉｃ  Ｃｏｎｃｅｐｔｓ，Ｉｎｃ．（ＫＣＩ）（Ｓａｎ  Ａｎｔｏｎｉｏ、Ｔｅｘａｓ）から入手可能なＶＡＣ（登録商標）ＧｒａｎｕＦｏａｍ（登録商標）材である。本明細書では、用語「マニホールド」は、組織部位に対して減圧を行ったり、流体を送達したり、または組織部位から流体を除去したりできる物体または構造を指し得る。マニホールドは、複数の流路または流れ経路を含み得る。複数の流路は相互に接続されて、マニホールドの周囲の組織領域に提供されるまたはそこから除去される流体の分配を改善し得る。マニホールドの例は、限定されるものではないが、流路を形成するように配置された構造要素などを有する装置、気泡質の発泡体、例えば、連続気泡発泡体、多孔性組織集合体、ならびに流路を含むまたは硬化して流路を含む液体、ゲル、ならびに発泡体を含み得る。
【００２８】
ＧｒａｎｕＦｏａｍ（登録商標）材よりも密度が高いまたは低い材料が、適用例に依存して、マニホールド層１５０に望ましいとし得る。多くの考えられる材料の中でも、以下のものを使用し得る：ＧｒａｎｕＦｏａｍ（登録商標）材、Ｆｏａｍｅｘ（登録商標）テクニカルフォーム（ｗｗｗ．ｆｏａｍｅｘ．ｃｏｍ）、成形された剣山（ｂｅｄ  ｏｆ  ｎａｉｌｓ）、Ｓｅｒｃｏｌ  Ｉｎｄｕｓｔｒｉａｌ  Ｆａｂｒｉｃｓで製造されたものなどのパターン化された格子材、Ｂａｌｔｅｘ（Ｄｅｒｂｙ、Ｕ．Ｋ．）で製造されたものなどの３Ｄテキスタイル、ガーゼ、可撓性のチャンネルを含む部材、またはグラフト。場合によっては、例えばマイクロボンディングプロセスによって、発泡体にイオン性銀を添加することが望ましいとし得る。抗菌剤などの他の物質も発泡体に添加し得る。
【００２９】
一部の実施形態では、マニホールド層１５０は、多孔質疎水性材料を含み得る。マニホールド層１５０に疎水性材料を使用することによって、マニホールド層１５０が、組織部位１０４から、滲出液などの流体を直接吸収しないようにする一方、流体がそれを通過できるようにし得る。
【００３０】
貯蔵層１５４は、マニホールド層１５０に近接して位置決めされ得る。下記で説明するように、貯蔵層１５４は、組織部位１０４からマニホールド層１５０を通して伝えられた流体を吸収するように適合され得る。一部の実施形態では、貯蔵層１５４の少なくとも一部分は、例えば、流体を吸収しかつ特定の組織部位に好適な吸収能力を有することができる親水性材料などの吸収体１５６を含み得る。貯蔵層１５４は、第１の面１６２と、対向する第２の面１６６とを有し得る。第１の面１６２は、マニホールド層１５０に近接して位置決めされ得る。一部の実施形態では、貯蔵層１５４の第１の面１６２は、マニホールド層１５０と接触して位置決めされ得る。
【００３１】
吸収体１５６は、貯蔵層１５４の第１の面１６２と対向する第２の面１６６との間に流体連通をもたらすことができる多孔質構造を有し得る。吸収体１５６に好適とし得る材料は、Ｌｕｑｕａｆｌｅｅｃｅ（登録商標）材、ＢＡＳＦ  ４０２ｃ、Ｔｅｃｈｎｉｃａｌ  Ａｂｓｏｒｂｅｎｔｓ（ｗｗｗ．ｔｅｃｈａｂｓｏｒｂｅｎｔｓ．ｃｏｍ）から入手可能なＴｅｃｈｎｉｃａｌ  Ａｂｓｏｒｂｅｎｔｓ  ２３１７、ポリアクリル酸ナトリウム超吸収材、セルロース系材料（カルボキシメチルセルロースおよびＣＭＣナトリウムなどのカルボキシメチル塩）、またはアルギン酸を含み得る。
【００３２】
図３に示すように、吸収体１５６は、貯蔵層１５４を通る１つ以上の流体連通チャンネル１７０をもたらすように、分離され得る。流体連通チャンネル１７０の各々にはリテーナ１５８が配置され得る。流体連通チャンネル１７０は分離していてもよく、かつ貯蔵層１５４を含む材料の一部として形成され得る、貯蔵層１５４を通る任意のチャンネル、細孔、または通路から区別可能とし得る。一部の実施形態では、流体連通チャンネル１７０は、リテーナ１５８によって画定され得る。本明細書で説明するように、リテーナ１５８は、流体連通チャンネル１７０への貯蔵層１５４の変形を実質的に防止し、それにより、貯蔵層１５４が流体を吸収するとき、流体連通チャンネル１７０の遮断を実質的に防止し得る。このように、貯蔵層１５４によって貯蔵、保持、または他の方法で吸収される流体量とは無関係に、リテーナ１５８は、貯蔵層１５４の第１の面１６２と第２の面１６６との間の流体連通を強化し得る。
【００３３】
一部の実施形態では、流体連通チャンネル１７０のそれぞれは、マニホールド層１５０と流体連通し、および貯蔵層１５４の第１の面１６２と第２の面１６６との間を流体連通し得る。例えば、流体連通チャンネルのそれぞれの一方の端部がマニホールド層１５０に近接するように、流体連通チャンネル１７０の対向端部は、それぞれ、貯蔵層１５４の第１の面１６２および第２の面１６６と実質的に同一平面にあってもよい。
【００３４】
一部の実施形態では、リテーナ１５８のそれぞれはまた、貯蔵層１５４の第１の面１６２と第２の面１６６との間に延在し得る。例えば、リテーナ１５８の各々の第１の端部１８２は、マニホールド層１５０に近接してまたはそれと接触して位置決めされ得る。さらに、リテーナ１５８の各々の第２の端部１８６は、貯蔵層１５４の対向する第２の面１６６と実質的に位置合わせされ得る。貯蔵層１５４の厚さは、貯蔵層１５４の第１の面１６２と第２の面１６６との間に画定され得る。リテーナ１５８、および流体連通チャンネル１７０の各々は、貯蔵層１５４の厚さにわたって延在し得る。
【００３５】
図面では、全体的に、リテーナ１５８のそれぞれが貯蔵層１５４の第１の面１６２と第２の面１６６との間に完全に延在しているとして示すが、他の実施形態が可能である。例えば、リテーナ１５８は、貯蔵層１５４を通して挿入されて流体連通チャンネル１７０を画定する、バネのような形状を有する螺旋状のワイヤとし得る。リテーナ１５８に関する他の実施形態は、流体連通チャンネル１７０を画定するように貯蔵層１５４を通って配置されたチューブ状構造を含み得る。従って、リテーナ１５８は、貯蔵層１５４の第１の面１６２と第２の面１６６との間に完全に延在しても、または単に、貯蔵層１５４の、流体連通チャンネル１７０をもたらすのに十分な部分に延在してもよい。使用するのに好適なリテーナ１５８のタイプは、貯蔵層１５４に選択される材料の特性、および本明細書で説明するように流体連通チャンネル１７０の遮断を実質的に防止するリテーナ１５８の能力に依存し得る。
【００３６】
リテーナ１５８の各々は、例えば、マニホールド層１５０に関連して上記で説明した疎水性材料のいずれかと同様の特性を示す多孔質疎水性材料を含み得る。リテーナ１５８は、マニホールド層１５０と同じまたは異なる疎水性材料で構成され得る。他の実施形態では、リテーナ１５８は、例えば、上述のような螺旋状のワイヤ、または内部ルーメンを有するチューブ状構造とし、貯蔵層１５４を実質的に保持できるかまたはそうでなければ貯蔵層が流体連通チャンネル１７０に変形しないようにし得る。
【００３７】
図１〜６Ｂの説明に役立つ実施形態を参照すると、マニホールド層１５０は、第１のマニホールド層１５０としてもよく、およびドレッシング１２０は、さらに、第２のマニホールド層１９０を含み得る。第２のマニホールド層１９０は、貯蔵層１５４とシール部材１２４との間を流体連通させて位置決めされ得る。
【００３８】
図４および図５を参照すると、図４および図５は、互いに対して実質的に直角、すなわち９０度に位置決めされた、深さＤおよび幅Ｗを有する実質的に長方形のドレッシング１２０の説明に役立つ実施形態を示す。しかしながら、ドレッシング１２０は、特定の組織部位に好適な任意の形状を有し得る。それゆえ、円形または不規則な形状を有するドレッシング１２０の実施形態では、例えば、深さＤおよび幅Ｗは、ドレッシング１２０の横断面を通る方向を表してもよく、ここでは、深さＤは、幅Ｗに対して実質的に直角すなわち９０度に位置決めされている。図４を参照すると、ドレッシング１２０の貯蔵層１５４は、吸収体１５６の、貯蔵層１５４の幅Ｗに沿った２つの隣接する部分の間に位置決めされたリテーナ１５８の各々を有し得る。引き続き図４を参照すると、深さＤに沿って、リテーナ１５８の各々および吸収体１５６の複数の部分の各々は、実質的に深さＤ全体にわたって延在し得る。ここで図５を参照すると、図４と同様に、ドレッシング１２０の貯蔵層１５４は、貯蔵層１５４の幅Ｗに沿って吸収体１５６の２つの隣接する部分の間に位置決めされたリテーナ１５８の各々を有し得る。しかしながら、図５に示すように、リテーナ１５８は、深さＤを横切って、吸収体１５６の一部分に当接し得る。同様に、吸収体１５６の複数の部分は、深さＤを横切って、リテーナ１５８に当接し得る。それゆえ、図５に示すように、ドレッシング１２０の貯蔵層１５４は、限定されることなく、ドレッシング１２０の深さＤを横切っていずれかの向きで位置決めされた、リテーナ１５８と、吸収体１５６とを含み得る。図４または図５に示すドレッシング１２０の深さＤに沿ったいずれかの構成において、上述のように、ドレッシング１２０の少なくとも一部分は、図１〜２および図６Ａ〜６Ｂに示す横断面および要素を示す。
【００３９】
動作中、ドレッシング１２０が、組織部位１０４からの流体と接触すると、貯蔵層１５４は、流体を、マニホールド層１５０を通して組織部位１０４から離れるように吸い上げる。上述の通り、マニホールド層１５０は、流体を貯蔵するのではなく、組織部位１０４からの流体を伝えるように適合され得る。それゆえ、マニホールド層１５０に対し、貯蔵層１５４の吸収体１５６は、マニホールド層１５０によって示され得るいずれの吸収特性よりも吸収力のある吸収特性を示す。マニホールド層１５０よりも吸収力がある吸収体１５６は、ドレッシング１２０を通して、組織部位１０４からの距離が増すにつれて吸収能力を高め得る吸収勾配をもたらし得る。それゆえ、貯蔵層１５４は、組織部位１０４からの流体を、マニホールド層１５０を通して、吸い上げる、引き寄せる、引き出す、または他の方法で引きつけるように適合され得る。
【００４０】
ドレッシング１２０は、図６Ａに示すように、初めに、実質的に不飽和状態で、組織部位１０４に展開され得る。ドレッシング１２０中の貯蔵層１５４が組織部位１０４から貯蔵層１５４へ流体を吸い上げて貯蔵すると、図６Ｂに示すように、貯蔵層１５４の吸収体１５６は、流体が貯蔵層１５４に入るため、膨張し得る。貯蔵層１５４の吸収体１５６の流体飽和および膨張は、ドレッシング１２０が組織部位１０４との流体連通を維持し、遮断の原因となることを減少させ得るか、または実質的に妨げ得る。それゆえ、図６Ｂに示すように、ドレッシング１２０の貯蔵層１５４が流体で実質的に飽和されると、リテーナ１５８は、吸収体１５６が膨張すること、または他の方法で流体連通チャンネル１７０に変形することを実質的に防止し得る。このように、リテーナ１５８は、流体連通チャンネル１７０を通した貯蔵層１５４の第１の面１６２と第２の面１６６との間の流体連通を維持するように適合され得る。ドレッシング１２０が最大流体容量または実質的な流体飽和状態に達した後、リテーナ１５８および流体連通チャンネル１７０は、減圧が組織部位１０４に達して、減圧療法を維持できるようにする。さらに、リテーナ１５８は、ドレッシング１２０から流体連通チャンネル１７０を通して流体キャニスター１４４まで過剰な流体を引き出すことができるようにし、それにより、ドレッシング１２０の使用可能な寿命を延ばし得る。
【００４１】
ここで図７を参照すると、図７は、前述のような治療システム１０２での使用に好適なドレッシング２２０の説明に役立つ実施形態を示す。ドレッシング２２０は、第１のマニホールド層１５０と、第２のマニホールド層１９０と、吸収体１５６を有する貯蔵層１５４とを含み得る。この説明に役立つ実施形態では、リテーナ１５８はまた、貯蔵層１５４を通して流体連通チャンネルに配置され得る。しかしながら、ドレッシング２２０は、さらに、第２の貯蔵層２５４と、貯蔵層１５４に関連して上述したものと実質的に同じ方法で第２の貯蔵層２５４に配置された複数の第２のリテーナ２５８とを含み得る。第２のリテーナ２５８は、リテーナ１５８に関して上述したものと実質的に同じ方法で第２の貯蔵層２５４の第２の流体連通チャンネルに配置され得る。リテーナ１５８と同様に、第２のリテーナ２５８は、第２の流体連通チャンネルへの吸収体２５６の変形を実質的に防止するように適合され得る。さらに、第２の貯蔵層２５４は、貯蔵層１５４と流体連通して位置決めされ得、第２のリテーナ１５８および第２の流体連通チャンネルが、第１のリテーナ１５８、および第１の貯蔵層１５４の流体連通チャンネルから横方向にオフセットされ得るようにする。例えば、リテーナ１５８は、ドレッシング２２０の厚さＴに対して垂直方向に貯蔵層１５４および第２の貯蔵層２５４を互いに対してシフトさせることによって、第２のリテーナ２５８から横方向にオフセットされ得る。一部の実施形態では、第１のマニホールド層１５０は、組織部位１０４と接触するように位置決めされて、貯蔵層１５４がマニホールド層１５０と第２の貯蔵層２５４との間に配置されるように適合され得る。
【００４２】
貯蔵層１５４と同様に、第２の貯蔵層２５４の少なくとも一部分は、親水性材料を含んでもよく、および組織部位１０４から伝えられた流体を吸収するように適合され得る。リテーナ１５８のように、第２のリテーナ２５８は、上述の通り多孔質疎水性材料を含み得る。さらに、第２の貯蔵層２５４は、第１の面２６２と、対向する第２の面２６６とを含み得る。第２の流体連通チャンネルは、貯蔵層１５４と流体連通し、および第２の貯蔵層２５４の第１の面２６２と対向する第２の面２６６との間を流体連通し得る。一部の実施形態では、第２のマニホールド層１９０は、第２の貯蔵層２５４に近接して、および第２の貯蔵層２５４とシール部材１２４との間に位置決めされ得る。
【００４３】
動作中、ドレッシング２２０は、ドレッシング１２０に関連して上述した通りに機能し得る。しかしながら、第２の貯蔵層２５４は貯蔵層１５４と組み合わせて、流体を実質的に均一に分配しかつ伝えるドレッシング２２０の効率を高め得る。例えば、図７に示すように、第２の貯蔵層２５４の第２の流体連通チャンネルから横方向にオフセットされている貯蔵層１５４の流体連通チャンネルは、流体が多方向経路２５０に沿って流れるようにし得る。多方向経路２５０は、ドレッシング２２０の厚さＴに対して垂直とし得る指向性構成要素を有し、その指向性構成要素は、流体が吸収体１５６、２５６に接触するように貯蔵層１５４および第２の貯蔵層２５４内で横方向に動くようにし得る。組織部位１０４に展開されると、ドレッシング２２０の厚さＴは、組織部位１０４に対して垂直であり、多方向経路２５０の指向性構成要素が、組織部位１０４の表面に沿うようにし得る。同様に、多方向経路２５０における流体の横方向の動きは、貯蔵層１５４の第１の面１６２および対向する第２の面１６６に沿い、および第２の貯蔵層２５４の第１の面２６２および対向する第２の面２６６に沿い得る。
【００４４】
ここで図８を参照すると、図８は、前述のような治療システム１０２での使用に好適なドレッシング３２０の説明に役立つ実施形態を示す。ドレッシング３２０は、前述した通り、第１のマニホールド層１５０と、第２のマニホールド層１９０と、吸収体１５６を通して流体連通チャンネルに配置されたリテーナ１５８を有する貯蔵層１５４とを含み得る。さらに、ドレッシング３２０は、前述した通り、第２のリテーナ２５８と吸収体２５６とを有する第２の貯蔵層２５４を含み得る。第２のリテーナ２５８は、リテーナ１５８から横方向にオフセットされ得る。ドレッシング３２０は、さらに、貯蔵層１５４と第２の貯蔵層２５４との間を流体連通させて位置決めされ得る中間マニホールド層３２５を含み得る。図８に示すように、リテーナ１５８は、中間マニホールド層３２５の第１の面３２７に近接して位置決めされ、および第２のリテーナ２５８は、中間マニホールド層３２５の対向する第２の面３２９に近接して位置決めされ得る。中間マニホールド層３２５は、マニホールド層１５０および第２のマニホールド層１９０に対して上記で説明した多孔質疎水性材料と同様の多孔質疎水性材料を含み得る。
【００４５】
動作中、ドレッシング３２０は、上述のようなドレッシング１２０および２２０と同様に機能し得る。しかしながら、中間マニホールド層３２５は、さらに、流体を分配しかつ伝えるドレッシング３２０の効率を高め得る。例えば、中間マニホールド層３２５は、貯蔵層１５４と第２の貯蔵層２５４との間に横方向の流体連通通路を提供し得る。上述の通り、貯蔵層１５４の流体連通チャンネルは、第２の貯蔵層２５４の第２の流体連通チャンネルから横方向にオフセットされ得る。図８に示すように、第２の貯蔵層１５４の流体連通チャンネルから横方向にオフセットされている第１の貯蔵層１５４の流体連通チャンネルは、流体が、多方向経路３５０に沿って流れるようにし得る。多方向経路３５０は、ドレッシング３２０の厚さＴに対して垂直な指向性構成要素を有し、指向性構成要素は、流体が、吸収体１５６、２５６に接触するように貯蔵層１５４および第２の貯蔵層２５４内を横方向に動くようにし得る。組織部位１０４に展開されると、ドレッシング３２０の厚さＴは、組織部位１０４に垂直として、多方向経路３５０の指向性構成要素が、組織部位１０４の表面に沿うようにし得る。同様に、多方向経路３５０における流体の横方向の動きは、貯蔵層１５４の第１の面１６２および対向する第２の面１６６に沿い、かつ第２の貯蔵層２５４の第１の面２６２および対向する第２の面２６６に沿い得る。
【００４６】
全体的に図９を参照すると、図９は、前述のような治療システム１０２での使用に好適なドレッシング４２０の説明に役立つ実施形態を示す。ドレッシング４２０は、複数の第１のアパーチャ４５８ａを有する第１の貯蔵層４５４ａと、複数の第２のアパーチャ４５８ｂを有する第２の貯蔵層４５４ｂとを含み得る実施形態を提供する。下記でさらに説明するように、第１および第２の貯蔵層４５４ａ、４５４ｂは、貯蔵層１５４および第２の貯蔵層２５４にそれぞれ類似し得る。ドレッシング４２０は、ドレッシング１２０、２２０、および３２０に関連して既に説明した要素と、位置決め、特徴、および動作が類似し得る他の要素を含み得る。例えば、ドレッシング４２０は、ドレッシング１２０、２２０、および３２０と類似の第１のマニホールド層１５０および第２のマニホールド層１９０を含み得る。図９には示さないが、ドレッシング４２０はまた、ドレッシング３２０と類似の中間マニホールド層３２５を含み得る。
【００４７】
図９を参照すると、第１の貯蔵層４５４ａは、第１のマニホールド層１５０に近接して位置決めされ、かつ第１の貯蔵層４５４ａに配置された複数の第１のアパーチャ４５８ａを有し得る。第１のアパーチャ４５８ａの各々は、第１の貯蔵層４５４ａを通して流体連通をもたらし得る。第２の貯蔵層４５４ｂは、第１の貯蔵層４５４ａと流体連通して位置決めされ、かつ第２の貯蔵層４５４ｂに配置された複数の第２のアパーチャ４５８ｂを有し得る。第２のアパーチャ４５８ｂの各々は、第２の貯蔵層４５４ｂを通して流体連通をもたらし得る。第１のアパーチャ４５８ａは、第２のアパーチャ４５８ｂから横方向にオフセットされてドレッシング４２０に位置決めされ得る。それゆえ、第１および第２のアパーチャ４５８ａ、４５８ｂは、上述の流体連通チャンネル１７０および第２の流体連通チャンネルにそれぞれ類似し得る。
【００４８】
動作中、ドレッシング４２０は、上述の通りドレッシング１２０、２２０、および３２０と同様に機能し、アパーチャ４５８ａ、４５８ｂは、第１の貯蔵層４５４ａおよび第２の貯蔵層４５４ｂを通る流体連通の遮断を実質的に防止するのに十分なサイズとし得る。アパーチャ４５８ａ、４５８ｂに必要なサイズは、第１および第２の貯蔵層４５４ａ、４５４ｂに選択された材料に依存し得る。第１の貯蔵層４５４ａ用の材料は、吸収体１５６に対して前に説明した材料と類似の吸収材料４５６ａとし得る。第２の貯蔵層４５４ｂ用の材料は、吸収体２５６に対して前に説明した材料と類似の吸収材料４５６ｂとし得る。
【００４９】
他の実施形態では、ドレッシング１２０、２２０、３２０、および４２０は、コラーゲン材料（図示せず）を含み得る。コラーゲンは、例えば、ドレッシング１２０、２２０、３２０、および４２０の多孔質構造内に分散され、かつ多孔質構造の目詰まりを実質的に防止するように適合され得る。さらに、ドレッシング１２０、２２０、３２０、および４２０は、複合イオン交換樹脂（図示せず）を含み、これは、ドレッシング１２０、２２０、３２０、および４２０に存在するナトリウムイオンおよび塩化物イオンと反応して、水素イオンおよびヒドロキシルイオンを生じるように適合され得る。複合イオン交換樹脂は、ドレッシング１２０、２２０、３２０、および４２０に、透過性膜として、または織りまたは不織材料上のポリマーコーティングとしてもたらされ得る。
【００５０】
本開示はまた、ドレッシング１２０、２２０、および３２０などのドレッシングを製造する方法を提供する。方法は、マニホールド材料を提供するステップと、吸収材料を提供するステップと、吸収材料に隣接してマニホールド材料を位置決めするステップとを含む。マニホールド１５０および１９０と同様に、マニホールド材料は、前述の疎水性材料を含み得る。吸収体１５６、２５６と同様に、吸収材料は、前述の親水性材料を含み得る。さらに、方法は、マニホールド材料および吸収材料を切断して、第１の貯蔵層１５４および第２の貯蔵層２５４を形成するステップを含み得る。第１および第２の貯蔵層１５４、２５４は、それぞれ、マニホールド材料の少なくとも一部分および吸収材料の少なくとも一部分を含み得る。貯蔵層１５４のマニホールド材料の各部分はリテーナ１５８を提供し、および貯蔵層１５４の吸収材料の各部分は吸収体１５６を提供し得る。同様に、貯蔵層２５４のマニホールド材料の各部分はリテーナ２５８を提供し、および貯蔵層２５４の吸収材料の各部分は吸収体２５６を提供し得る。さらに、方法は、第１の貯蔵層１５４を第２の貯蔵層２５４と流体連通させて位置決めし、第１の貯蔵層１５４のマニホールド材料の部分が、前述の通り第２の貯蔵層２５４のマニホールド材料の部分から横方向にオフセットして位置決めされ得るステップを提供し得る。
【００５１】
さらに、方法は、組織部位１０４に近接して位置決めされかつ組織部位１０４に減圧を分配するように適合され得るマニホールド層１５０を提供するステップを含み得る。方法は、第１の貯蔵層１５４に近接してマニホールド層１５０を位置決めして、第１の貯蔵層１５４がマニホールド層１５０と第２の貯蔵層２５４との間を流体連通させるように配置され得るようにするステップを含み得る。第１および第２の貯蔵層１５４、２５４は、マニホールド層１５０を通して組織部位１０４との流体連通をもたらすように適合され得る。
【００５２】
さらに、方法は、第２のマニホールド層１９０を提供し、かつ第２の貯蔵層２５４に近接して第２のマニホールド層１９０を位置決めするステップを含み得る。さらに、方法は、中間マニホールド層３２５を提供し、かつ第１の貯蔵層１５４と第２の貯蔵層２５４との間を流体連通させて中間マニホールド層３２５を配置するステップを含み得る。
【００５３】
本明細書は、いくつかの説明に役立つ非限定的な実施形態に関連して利点を開示したが、添付の特許請求の範囲で定義したような本明細書の範囲から逸脱せずに、様々な変更形態、代替形態、置換形態、および修正形態をなし得る。さらに、いずれか一つの実施形態に関連して説明された任意の特徴はまた、任意の他の実施形態にも適用可能であり得る。
【図１】
2016512064.tif 000003
【図２】
2016512064.tif 000004
【図３】
2016512064.tif 000005
【図４】
2016512064.tif 000006
【図５】
2016512064.tif 000007
【図６Ａ】
2016512064.tif 000008
【図６Ｂ】
2016512064.tif 000009
【図７】
2016512064.tif 000010
【図８】
2016512064.tif 000011
【図９】
2016512064.tif 000012
【国際調査報告】
2016512064.tif 000013
2016512064.tif 000014
2016512064.tif 000015
2016512064.tif 000016